(57)【要約】      （修正有）【課題】印刷待ち物品のサイズ及びインクジェット範囲に対応することで、更に多くのモジュールの印刷ジョブを完成するインクジェット印刷機構及び印刷設備を提供する。【解決手段】インクジェット印刷機構１０は、本体１１と、該本体１１の一面に配列する複数個のプリントヘッド１２１１と、該本体１１に設置して、該本体１１を方向転換させる方向転換モジュール１３を含む。複数個のプリントヘッド１２１１は少なくとも二列のプリントヘッド・ライン１２１を形成し、そのうち相互に隣接する該プリントヘッド・ライン１２１は非対面方式で配列し、該プリントヘッド・ライン１２１の該複数個のプリントヘッド１２１１は相互に隣接する別の列の該プリントヘッド・ライン１２１の該複数個のプリントヘッド１２１１と互い違いに配置し、また該少なくとも二列のプリントヘッド・ライン１２１は少なくとも一個のプリントヘッド・ユニット１２を形成する。【選択図】図１
0003222173.tif 000002
【実用新案登録請求の範囲】
【請求項１】
インクジェット印刷機構において、
本体と、
該本体の一面に配列する少なくとも一個プリントヘッドと、
該本体に設置して，該本体を方向転換させる方向転換モジュールを含むことを特徴とするインクジェット印刷機構。
【請求項２】
前記複数個のプリントヘッドは少なくとも二列のプリントヘッド・ラインを形成し，そのうち相互に隣接する該プリントヘッド・ラインは非対面方式で配列し，該プリントヘッド・ラインの該複数個のプリントヘッドは相互に隣接する別の列の該プリントヘッド・ラインの該複数個のプリントヘッドと互い違いに配置し，また該複数列のプリントヘッド・ラインは少なくとも一個のプリントヘッド・ユニットを形成することを特徴とする請求項１記載のインクジェット印刷機構。
【請求項３】
前記複数個のプリントヘッドは、該本体に沿って配置することを特徴とする請求項１記載のインクジェット印刷機構。
【請求項４】
前記本体は該方向転換モジュールの制御によって９０度の方向転換を行うことを特徴とする請求項１から３のうち任意の一項記載のインクジェット印刷機構。
【請求項５】
前記方向転換モジュールは駆動組部材を含むことを特徴とする請求項１から３のうち任意の一項記載のインクジェット印刷機構。
【請求項６】
前記駆動組部材は、方向転換モータ及び複数個の方向転換ギアを含み，該複数個の方向転換ギアは互いに噛合し並びに該方向転換モータ及び該本体を連接し、該複数個の方向転換ギアは該方向転換モータの制御に拠って回転して該本体を動かして方向転換することを特徴とする請求項５記載のインクジェット印刷機構。
【請求項７】
前記駆動組部材は、少なくとも一シリンダー及び一可動腕を含み、該可動腕は該シリンダーの制御に拠って回転して該本体を動かして方向転換することを特徴とする請求項５記載のインクジェット印刷機構。
【請求項８】
前記プリントヘッドは複数個のノズルを含むことを特徴とする請求項１から３のうち任意の一項記載のインクジェット印刷機構。
【請求項９】
少なくとも一請求項１から８のうち任意の一項記載のインクジェット印刷機構において、インクジェット印刷を行う印刷設備であり、それは、
該インクジェット印刷機構の下方に位置する基台と、
該インクジェット印刷機構を連結し、該インクジェット印刷機構を制御して横向Ｘ軸、横向Ｙ軸もしくは縱向Ｚ軸の方式で移動して定位する少なくとも一位置調整機構と、
該基台上に設置し、印刷待ち物品を送って該インクジェット印刷機構を通過して印刷する伝送機構を含むことを特徴とする印刷設備。
【請求項１０】
前記位置調整機構は
該基台の上方に設置する横桿と、
該横桿に設置するベルト組部材と、
ベルト組部材を連結する台座体と、
該台座体及び該インクジェット印刷機構を連接し、該台座体に相対して位置移動し，該インクジェット印刷機構を横向Ｙ軸方向に移動させる第一調整モジュールと、
該第一調整モジュール及び該インクジェット印刷機構を連接し、該台座体を相対して位置移動し，該インクジェット印刷機構を縱向Ｚ軸方向へ移動する第二調整モジュールと、
該ベルト組部材を連結し、該ベルト組部材を制御して曲げ、該台座体を位置移動させ、該インクジェット印刷機構を横向Ｘ軸方向に移動させる第三調整モジュールを含むことを特徴とする請求項９記載の印刷設備。
【請求項１１】
前記台座体は第一噛合部を含み，該第一調整モジュールは該第一噛合部と噛合する第一ギアを含むことを特徴とする請求項１０記載の印刷設備。
【請求項１２】
前記位置調整機構は、更に，
各々がそれぞれ該基台の相対する両側に設置する二本のレールと、
各レール上にそれぞれ設置し、該横桿を支持固定する二個の支持フレームと、
少なくとも一個の該支持フレームを連接し、該二個の支持フレームを制御して該レール上で位置移動し、更に該横桿を動かして該基台に相対して横向Ｙ軸方向へ移動する第四調整モジュールを含むことを特徴とする請求項１０もしくは１１記載の印刷設備。
【請求項１３】
前記各該支持フレーム３８は、それぞれ該レールに嵌合する第二ギアを含むことを特徴とする請求項１２記載の印刷設備。
【請求項１４】
前記位置調整機構は、更に第五調整モジュールを含み、少なくとも一個の該支持フレームを連接し、該第五調整モジュールは該支持フレームの一部構造を縱向位置移動させ，該横桿を上昇もしくは下降させることを特徴とする請求項１２記載の印刷設備。
【請求項１５】
前記第五調整モジュールは、第二噛合部及び第三ギアを含み、該第二噛合部は該支持フレームに連接し、且つ該第三ギアは該第二噛合部を噛合し、該第三ギアが回転した時、該第二噛合部の押圧によって該支持フレームの一部構造を縱向位置移動することを特徴とする請求項１３記載の印刷設備。
【請求項１６】
前記位置調整機構は、該基台の一側に設置した機械腕であることを特徴とする請求項９記載の印刷設備。
【請求項１７】
前記印刷設備は、更に吸気機構を含み，該基台の内部に設置し、且つ該伝送機構は複数個の開孔を穿設し、該吸気機構は、該複数個の開孔から気体を吸い取ることで該伝送機構が伝送した物品を吸着することを特徴とする請求項９記載の印刷設備。
【請求項１８】
前記伝送機構は、該複数個の開孔のベルトもしくは履帯を含むことを特徴とする請求項１７記載の印刷設備。
【請求項１９】
前記伝送機構は、
該基台上に設置し，且つ該複数個の開孔を穿設する作業台と、
各々はそれぞれ各該開孔の中に設置し，回転時、物品の伝送を行う複数個のローラーを含むことを特徴とする請求項１７記載の印刷設備。
【請求項２０】
前記印刷設備は、更に
該基台の一端に設置し，且つ印刷待ち物品を該伝送機構へ伝送する複数個の回転桿部材を含む送り機構と、
該基台の相対する別の端に設置し，該伝送機構が送った印刷済物品を受け取る受取機構を含むことを特徴とする請求項１７記載の印刷設備。
【考案の詳細な説明】
【技術分野】
【０００１】
本考案は印刷技術に関するもので、特にプリントヘッド・ユニットの印刷方向を変更し、印刷待ち物品のサイズ及びインクジェット範囲に対応することで、更に多くのモジュールの印刷ジョブを完成するインクジェット印刷機構及び印刷設備に係る。
【背景技術】
【０００２】
従前の技術として、液体噴射設備の一例に、インクジェット式印刷設備がある。インクジェット式印刷設備には、インクを噴射する複数個のプリントヘッドが設置される。該複数のプリントヘッドが一般の紙、わら半紙等物品に対して印刷作業を行うことで、該物品の表面に例として文字、幾何模様等図案を描く。
【０００３】
一般的に、インクジェット式印刷設備の複数個のプリントヘッドは、特定配列方式で本体の表面に設置する。インクジェット式印刷設備が平面印刷ジョブを行う時，印刷待ち物品を伝送機構の基台上に設置し、伝送機構の動きによって印刷待ち物品が被本体下方に送られる時，該複数個のプリントヘッドによって印刷される。
【考案の概要】
【考案が解決しようとする課題】
【０００４】
解決しようとする問題点として、現在のインクジェット式印刷設備が備える複数個のプリントヘッドの本体は、限定エリア内で一移動を行い印刷待ち物品に対して印刷作業を行うが、該本体は方向転換を行うことができない。故に成型が特定配列方式の複数個のプリントヘッドが実行する印刷作業は制限があり、大きいサイズで且つ方向性及び連続性を備える図案、もしくは特殊印刷組版要求の作業は実施できない。
【課題を解決するための手段】
【０００５】
本考案のインクジェット印刷機構及び印刷設備において、インクジェット印刷機構は、本体、少なくとも一プリントヘッド、方向転換モジュールを含む。そのうち、少なくとも一プリントヘッドは本体の一面に配列設置し、複数個のプリントヘッド・ユニットは少なくとも二列のプリントヘッド・ラインから形成し、また該複数列のプリントヘッド・ラインは少なくとも一個のプリントヘッド・ユニットから形成する。また、方向転換モジュールは本体に設置し、本体を方向転換させる。更に採用したインクジェット印刷機構はインクジェット印刷を行う。また印刷設備に適用する印刷方法は、方向転換モジュールによって本体の方向を調整し、印刷待ち物品のサイズ及びインクジェット範囲に対応することで、更に多くのモジュールの印刷ジョブを完成することを最も主要な特徴とする。
【考案の効果】
【０００６】
本考案のインクジェット印刷機構及び印刷設備は、印刷待ち物品のサイズ及びインクジェット範囲に対応することで、更に多くのモジュールの印刷ジョブを完成するという利点がある。
【図面の簡単な説明】
【０００７】
【図１】本考案のインクジェット印刷機構の指示図である。
【図２】本考案の印刷設備の第一実施例の第一指示図である。
【図３】本考案の印刷設備の第一実施例の第二指示図である。
【図４】本考案の印刷設備の第一実施例のインクジェット印刷機構の別の実施指示図である。
【図５】本考案の印刷設備の第一実施例の方向転換モジュールの別の実施指示図である。
【図６】本考案の印刷設備の第一実施例の第三指示図である。
【図７】本考案の印刷設備の第一実施例の第四指示図である。
【図８】本考案の印刷設備の第二実施例の指示図である。
【図９】本考案の印刷設備の伝送機構の第一実施例の指示図である。
【図１０】本考案の印刷設備の伝送機構の第二実施例指示図である。
【図１１】本考案の第一実施例の印刷設備で第一種印刷モジュールを実行する指示図である。
【図１２】本考案の印刷設備が第一実施例の多数個の位置調整機構及びインクジェット機構を採用して第一種印刷モジュールを実行する指示図である。
【図１３】本考案の第一実施例の印刷設備が第二種印刷モジュールを実行する第一指示図である。
【図１４】本考案の第一実施例の印刷設備が第二種印刷モジュールを実行する第二指示図である。
【図１５】本考案の印刷設備が第一実施例の多数個の位置調整機構及びインクジェット機構を採用して第三種印刷モジュールを実行する指示図である。
【図１６】本考案の印刷設備が第一実施例の多数個の位置調整機構及びインクジェット機構を採用して第四種印刷モジュールを実行する指示図である。
【図１７】本考案の印刷方法のフローチャートである。
【考案を実施するための形態】
【０００８】
上述の公知の問題に対し、本考案の目的は、プリントヘッドの印刷方向を変更し、印刷待ち物品のサイズ及びインクジェット範囲に対応して更に多くのモジュールの印刷ジョブを完成するインクジェット印刷機構及び印刷設備を提供することにある。
【０００９】
本考案の目的に基づき、インクジェット印刷機構を提供する。それは本体、該本体の一面に配列して設置する少なくとも一個のプリントヘッド、 該本体に設置し、本体を方向転換させる方向転換モジュールを含む。
【００１０】
上述の技術的特徴に基づき，複数個のプリントヘッド・ユニットは少なくとも二列のプリントヘッド・ラインから形成し、そのうち相互に隣接する該プリントヘッド・ラインは非対面方式で配列し，該プリントヘッド・ラインの該複数個のプリントヘッドは相互に隣接する別の列の該プリントヘッド・ラインの該複数個のプリントヘッドと互い違いに配置し，また該複数列のプリントヘッド・ラインは少なくとも一個のプリントヘッド・ユニットを形成する。
【００１１】
上述の技術的特徴に基づき，複数個のプリントヘッドは該本体に沿って配置する。
【００１２】
上述の技術的特徴に基づき，該本体は方向転換モジュールの制御に拠って９０度の方向転換を実施する。
【００１３】
上述の技術的特徴に基づき，該方向転換モジュールは駆動組部材を含む。
【００１４】
上述の技術的特徴に基づき，該駆動組部材は方向転換モータ及び複数個の方向転換ギアを含み，複数個の方向転換ギアは相互に噛合し、更に方向転換モータ及び本体を連接する。複数個の方向転換ギアは、方向転換モータの制御に拠って回転して本体を方向転換させる。
【００１５】
上述の技術的特徴に基づき，該駆動組部材はシリンダー及び可動腕を含み，該可動腕は該シリンダーの制御に拠って回転して該本体を動かして方向転換する。
【００１６】
上述の技術的特徴に基づき，該プリントヘッドは複数個のノズルを含む。
【００１７】
上述の技術的特徴に基づき，該本体は長方形の形態を備える。
【００１８】
上述のとおり、本考案は、主に方向転換モジュールを設置し複数個のプリントヘッド・ユニットを備えた本体を連結し、本体を方向転換モジュールの制御に拠って方向転換を実行し，更に複数個のプリントヘッド・ユニットの印刷方向を変更する。これらによって該インクジェット印刷機構が印刷待ち物品のサイズ及びインクジェット範囲に対応することで更に多くのモジュールの印刷ジョブを完成する。この他、本考案が設定したプリントヘッドの配列方式によって，最少のプリントヘッド数を使用するだけで，効率的な印刷作業を行い，印刷された図案が完全で、途切れない。
【００１９】
本考案の目的に基づき、上述のインクジェット印刷機構を採用してインクジェット印刷を行う印刷設備を提供する。それはインクジェット印刷機構の下方に位置する基台と、
インクジェット印刷機構を連結し、インクジェット印刷機構を横向Ｘ軸、横向Ｙ軸もしくは縱向Ｚ軸の方式で移動して定位する少なくとも一位置調整機構と、
基台上に設置し、印刷待ち物品がインクジェット印刷機構を通過して送り、印刷を行う伝送機構を含む
【００２０】
上述の技術的特徴に基づき，該位置調整機構は、
基台の上方に設置する横桿と、
横桿に設置するベルト組部材と、
ベルト組部材を連結する台座体と、
台座体及びインクジェット印刷機構を連結し、台座体に相対して位置移動し、インクジェット印刷機構を横向Ｙ軸方向へ移動させる第一調整モジュールと
第一調整モジュール及びインクジェット印刷機構を連接し、台座体に相対して位置移動し、インクジェット印刷機構を縱向Ｚ軸方向へ移動させる第二調整モジュールと、
ベルト組部材を連結し、ベルト組部材を巻き付け、台座体を位置移動させ、更にインクジェット印刷機構を横向Ｘ軸方向へ移動させる第三調整モジュールを含む。
そのうち，該第一調整モジュール、第二調整モジュール及び第三調整モジュールによってインクジェット印刷機構を制御し、一エリア内で横方向移動と縦方向移動を実施して物品に対して印刷作業を実行する。
【００２１】
上述の技術的特徴に基づき，該台座体は第一噛合部を含み，第一調整モジュールは、第一噛合部と噛合する第一ギアを含む。
【００２２】
上述の技術的特徴に基づき，該位置調整機構は更に
各レールはそれぞれ基台の相対する両側に設置する二本のレールと、
各支持フレームはそれぞれ各レール上に設置し、横桿を支持固定する二個の支持フレームと、
少なくとも一個の支持フレームを連接し、二個の支持フレームを制御してレール上で位置移動し、更に横桿を動かして基台に相対し横向Ｙ軸方向に移動する第四調整モジュールを含む。
【００２３】
上述に於いて、該第四調整モジュールによってインクジェット印刷機構が設定した水平位置を変更し、仮に複数個の位置調整機構を備え、且つ各位置調整機構がそれぞれインクジェット印刷機構を連接した時，第四調整モジュールで設定した印刷モジュールもしくは印刷待ち物品のサイズに基づき、隣接するインクジェット印刷機構のピッチ距離を調整し、それに拠って更に効率を高め、有効に省エネでき、リスクを下げる。
【００２４】
上述の技術的特徴に基づき，各支持フレームは、それぞれレールに嵌合する第二ギアを含む。
【００２５】
上述の技術的特徴に基づき，該位置調整機構は、更に第五調整モジュールを含む。それは少なくとも一個の支持フレームを連接し、第五調整モジュールは支持フレームの一部構造を縦方向に移動させ横桿を上昇もしくは下降させる。そのうち，該第五調整モジュールが印刷待ち物品の厚みに拠って、インクジェット印刷機構が設定した高度位置を変更する。
【００２６】
上述の技術的特徴に基づき，該第五調整モジュールは第二噛合部及び第三ギアを含む。第二噛合部は、支持フレームに連接し、且つ第三ギアは第二噛合部を噛合し、第三ギアが駆動に拠って回転した時、第二噛合部を押して支持フレームの一部構造を縦方向に移動させる。
【００２７】
上述の技術的特徴に基づき，該位置調整機構は、基台の一側に設置した機械腕である。
【００２８】
上述の技術的特徴に基づき，該印刷設備更吸気機構を含み，基台の内部に設置する。更に伝送機構は複数個の開孔を穿設し、該吸気機構は複数個の開孔によって気体を吸い取って伝送機構が伝送した物品を吸着し、それらに拠って物品が伝送及び印刷過程において、更に安定して移動して歪みの問題を起こさない。
【００２９】
上述の技術的特徴に基づき，該伝送機構は、複数個の開孔を含むベルトもしくは履帯である。
【００３０】
上述の技術的特徴に基づき，該伝送機構は、
基台上に設置し、且つ複数個の開孔を穿設する作業台と、
各々は、それぞれ各開孔の中に設置し、回転時、物品の伝送を行う複数個のローラーを含む。
【００３１】
上述の技術的特徴に基づき，該印刷設備は更に
基台の一端に設置し、且つ印刷待ち物品を伝送機構へ伝送する複数個の回転桿部材を含む送り機構と、
基台の相対する別の端に設置し，伝送機構が送った印刷済物品を受け取る受取機構を含む。
【００３２】
本考案の技術特徴に基づく印刷方法に基づき、上述の印刷設備に適用する。そのうち該印刷方法は、
印刷待ち物品のサイズ及び印刷範囲に基づき、インクジェット印刷機構の位置を自動調整し、方向転換モジュールで本体の方向転換を調整してプリントヘッドを伝送機構の送り方向に相対して印刷方位を定位するステップと、
伝送機構を通じて印刷待ち物品を送るステップと、
インクジェット印刷機構を自動制御して横向Ｘ軸及びＹ軸方向へ移動させるか、もしくは元の位置に定位することで印刷待ち物品に対して印刷作業を実行するステップを含む。
【００３３】
上述の技術的特徴に基づき，該印刷方法は更に以下のステップを含む。送り機構で印刷待ち物品を伝送機構へ送る。
【００３４】
上述の技術的特徴に基づき，該印刷方法は更に以下のステップを含む。吸気機構で気体を吸着し、伝送機構上に吸着して固定し伝送する。
【００３５】
上述の技術的特徴に基づき，該印刷方法は更に以下のステップを含む。受取機構で伝送機構が送った印刷済物品を受け取る。
【実施例１】
【００３６】
本考案の技術的特徴、内容、長所及び達成する効果を明らかにするため、図式と共に実施例を挙げて以下に詳細に説明する。その中で使用する図式の目的は、明細書を説明するために過ぎず、本考案を制限するものではないことを明示しておく。
【００３７】
図１及び図３に示すのは、本考案のインクジェット印刷機構の指示図及び本考案の印刷設備の第一実施例の第二指示図である。本考案のインクジェット印刷機構１０は主に本体１１、少なくとも一プリントヘッド・ユニット１２及び方向転換モジュール１３を含む。良好な実施例に於いて，本体１１のデザインは、長方形の構造体であるが、それに制限されない。該本体１１の一面には配列した複数個のプリントヘッド・ユニット１２を設置する。実施例に於いて，プリントヘッド・ユニット１２の数は少なくとも四組とする。そのうち三組のプリントヘッド・ユニット１２は、それぞれ洋紅色、黄色及び青色の三原色のインク液を充填し，該三組のプリントヘッド・ユニット１２の組み合わせによってカラー図案をインクジェット印刷する。また別の組のプリントヘッド・ユニット１２は、黒色をインクジェット印刷する。本考案のうちの一技術的特徴として、各プリントヘッド・ユニット１２はそれぞれ少なくとも二列のプリントヘッド・ライン１２１を含み，各プリントヘッド・ライン１２１はすべて間隔配置された複数個のプリントヘッド１２１１から構成され，且つ相互に隣接する少なくとも二列のプリントヘッド・ライン１２１は非対面方式で配列し，プリントヘッド・ライン１２１の複数個のプリントヘッド１２１１を相互に隣接する別の列のプリントヘッド・ライン１２１の複数個のプリントヘッド１２１１と互い違いで配置する。これに拠って、本考案は、最少のプリントヘッド数を使用するだけで，効率的な印刷作業を行い，印刷された図案が完全で中断しない。そのうち，各プリントヘッド１２１１はインクがスプレイされる複数個のノズル１２１１１を含む。
【００３８】
図４は、本考案の印刷設備の第一実施例のインクジェット印刷機構の別の実施指示図である。本考案のインクジェット印刷機構１０は主に本体１１、少なくとも一個のプリントヘッド１２１１及び方向転換モジュール１３を含む。良好な実施例に於いて，本体１１のデザインは、長方形の構造体であるが、それに制限されない。該本体１１の一面は配列した複数個のプリントヘッド１２１１を設置する。実施例に於いて，プリントヘッド１２１１の数量は少なくとも四組あり，そのうち三組のプリントヘッド１２１１は、それぞれ洋紅色、黄色及び青色の三原色のインク液を充填し、該三組のプリントヘッド１２１１の組み合わせによってカラー図案が印刷される。また別の組のプリントヘッド１２１１は黒色を印刷する。複数個のプリントヘッド１２１１は間隔を開けて本体に配置する。本考案は少量のプリントヘッド数を使用するだけで，効率的な印刷作業を行い，印刷された図案が完全で中断しない。そのうち，各プリントヘッド１２１１はインクがスプレイされる複数個のノズル１２１１１を含む。
【００３９】
本考案の最重要な技術特徴として、本考案の本体１１はは駆動組部材を含む方向転換モジュール１３を連結し，また方向転換モジュールの第一構造実施例は図３に示す。該駆動組部材は方向転換モータ１３１及び複数個の方向転換ギア１３２を含み，複数個の方向転換ギア１３２は相互に噛合し、更に方向転換モータ１３１及び本体１１を連接する。方向転換モータ１３１が稼働する時そのうちの方向転換ギア１３２を制御して回転し，更に回転する該方向転換ギア１３２によって他の方向転換ギア１３２を回転させる。そして本体１１を逆時計回りもしくは時計回りで９０度に方向転換させ，複数個のプリントヘッド・ユニット１２の印刷方向を変更する。これらによって本考案のインクジェット印刷機構１０が各種印刷待ち物品のサイズ、インクジェット範囲及び方向に対応することによって更に多くのモジュールの印刷ジョブを完成する。
【００４０】
図５に示すのは、本考案の印刷設備の第一実施例の方向転換モジュールの別の実施指示図であり、本考案の方向転換モジュールの別の構造を示す。本考案の本体１１は方向転換モジュール１３を連結し，該方向転換モジュール１３は駆動組部材を含む。該駆動組部材はシリンダー１３３及び可動腕１３４を含み，該可動腕１３４は該シリンダー１３３の制御に拠って回転し該本体１１を動かして方向転換を実行する。シリンダー１３３が可動腕１３４を制御して回転させ、回転する該可動腕１３４によって本体１１を逆時計回りもしくは時計回りで９０度に方向転換させ，複数個のプリントヘッド・ユニット１２の印刷方向を変更する。これらによって本考案のインクジェット印刷機構１０が各種印刷待ち物品のサイズ、インクジェット範囲及び方向に対応することによって更に多くのモジュールの印刷ジョブを完成する。
【００４１】
上述のとおり、再度図２に示すのは、本考案の印刷設備の第一実施例の第一指示図である。図に示すとおり、本考案の印刷設備は主に上述例のような少なくとも一インクジェット印刷機構１０、基台２０、少なくとも一位置調整機構３０及び伝送機構４０を含む。該基台２０はインクジェット印刷機構１０の下方に位置する。当該実施例の位置調整機構３０は基台２０に設置しインクジェット印刷機構１０を連結し，該位置調整機３０の作用として、インクジェット印刷機構１０を制御して横向Ｘ軸、横向Ｙ軸もしくは縱向Ｚ軸の方式で基台２０に移動して定位し、該伝送機構４０は基台２０上に設置し、それは印刷待ち物品を送り、インクジェット印刷機構１０を通過して印刷を行うのに用いる。
【００４２】
次に図２及び図３及び図６と共に示すとおり、そのうち図３及び図６はそれぞれ本考案の印刷設備の第一実施例の第二指示図及び第三指示図である。詳述すると、第一実施例の位置調整機構３０は、横桿３１、ベルト組部材３２、台座体３３、第一調整モジュール３４、第二調整モジュール３５、第三調整モジュール３６、二本のレール３７、二個の支持フレーム３８、第四調整モジュール３９及び第五調整モジュール３１０を含む。各該レール３７はそれぞれ基台２０の相対する両側に設置し，各支持フレーム３８はそれぞれ第二ギア３８１を設置し，各支持フレーム３８をそれぞれ第二ギア３８１で各レール３７上に嵌合する。該横桿３１は二個の支持フレーム３８で連結固定し，横桿３１を基台２０の上方に配置する。ベルト組部材３２は、横桿３１に設置し、且つベルト組部材３２は台座体３３に連結する。第一調整モジュール３４は台座体３３及びインクジェット印刷機構１０の本体１１を連接する。そのうち，該台座体３３は第一噛合部を含み、第一調整モジュール３４は第一噛合部３３１と噛合する第一ギア３４１を含む。第一調整モジュール３４が第一ギア３４１を制御して第一噛合部３３１上で回転する時、該第一調整モジュール３４は台座体３３に相対して水平移動を行い、インクジェット印刷機構１０によって横向Ｙ軸方向へ移動する。第二調整モジュール３５は第一調整モジュール３４及びインクジェット印刷機構１０の本体１１を連接し、且つ該第二調整モジュール３５は台座体３３に相対して垂直移動を行い、インクジェット印刷機構１０を縱向Ｚ軸方向へ移動させる。第三調整モジュール３６はベルト組部材３２を連結し、該第三調整モジュール３６でベルト組部材３２を制御して回転する。台座体３３をベルト組部材３２に従って水平移動させ、更にインクジェット印刷機構１０を横向Ｘ軸方向へ移動させる。第四調整モジュール３９は少なくとも一個の支持フレーム３８を連接し、二個の支持フレーム３８を第四調整モジュール３９の制御に拠ってレール３７上で水平移動を行い、更に横桿３１をベルト組部材３２、台座体３３、インクジェット印刷機構１０等組部材と共に基台２０に相対して横向Ｙ軸方向へ移動させる。第五調整モジュール３１０は少なくとも一個の支持フレーム３８を連接し、図４に示すとおり、該第五調整モジュール３１０は第二噛合部３１０１及び第三ギア３１０２を含み、該第二噛合部３１０１は支持フレーム３８の一部構造に連接し、且つ第三ギア３１０２は第二噛合部３１０１に噛合する。第五調整モジュール３１０が第三ギア３１０２によって回転した時，該第三ギア３１０２を通じて第二噛合部３１０１の支持フレーム３８の一部構造を設置し、該支持フレーム３８の一部構造を垂直移動させ、更に横桿３１を上昇もしくは下降させる。
【００４３】
上述において、本考案の印刷設備が印刷前の準備作業を行う時，自動で印刷待ち物品のサイズ、印刷フォーマット等印刷要求に基づき、第四調整モジュール３９でインクジェット印刷機構１０が設定した水平位置を変更し、更に第五調整モジュール３１０でインクジェット印刷機構１０が設定した高度位置を変更する。同時に更に方向転換モジュール１３で本体１１の方向転換を調整する。準備作業終了後、第一調整モジュール３４及び第三調整モジュール３６でインクジェット印刷機構１０を一エリア内で横方向移動させ、並びに第二調整モジュール３５でインクジェット印刷機構１０を縦方向に移動させ物品に対して印刷作業を実行する。
【００４４】
同時に図７に示すのは、本考案の印刷設備の第一実施例の第四指示図である。本考案の印刷設備は更に吸気機構５０、送り機構６０及び受取機構７０を含む。該吸気機構５０は基台２０の内部に設置し，それを稼働する時伝送機構４０に設置した複数個の開孔４０１で気体を吸着する。伝送機構４０が伝送した物品を吸着することによって、物品の伝送及び印刷過程において更に安定し、移動時の歪みの問題を起こさない。送り機構６０は基台２０の一端に設置し、且つ送り機構６０は複数個の回転桿部材６１を含み，使用者は印刷待ち物品Ａを該複数個の回転桿部材６１上に置き、更に透過回転桿部材６１で印刷待ち物品Ａを伝送機構４０へ伝送する。受取機構７０は基台２０の相対する別の端に設置し，それは伝送機構４０が送った印刷済物品Ｂを受け取るのに用いる。
【実施例２】
【００４５】
図８に示すのは、本考案の印刷設備の第二実施例の指示図である。第二実施例に於いて、本考案の印刷設備の位置調整機構３０は機械腕であり、それは基台２０の一側に設置し、インクジェット印刷機構１０の水平と高度位置を制御する。
【００４６】
実施例１、２
上述において、第一実施例と第二実施例の印刷設備の伝送機構４０は該複数個の開孔４０１を穿設したベルトもしくは履帯であり、それは図９に示す。もしくは該伝送機構４０は作業台４１及び複数個のローラー４２を含み、それは図１０に示す。そのうち作業台４１は基台２０上に設置し、且つ作業台４１は複数個の開孔４０１を穿設し、各ローラー４２はそれぞれ各開孔４０１の中に設置し、複数個のローラー４２が回転すると、物品を運ぶ。
【００４７】
実施例１
続いて、図１１に示すのは、本考案の第一実施例の印刷設備を使用して実行した印刷モジュールの指示図である。図に示すとおり、この印刷モジュールにおいて、インクジェット印刷機構１０の本体１１の長さが短い一側辺と伝送機構４０の送り方向を垂直に設定し、且つこの印刷設備が第一種印刷モジュールに基づき印刷作業を実行した時、伝送機構４０で印刷待ち物品Ａをインクジェット印刷機構１０の下方へ送って定位し、印刷待ち物品Ａを動かないようにする。続いてインクジェット印刷機構１０を制御してＸ軸方向へ移動することで印刷待ち物品Ａに対して例として文字、幾何模様等の図案Ｃを形成して印刷する。
【００４８】
続いて図１２に示すのは、本考案の印刷設備が多数個の第一実施例の位置調整機構及びインクジェット機構を採用して第一種印刷モジュールを実行する指示図である。当図に於いて、本考案は第一実施例の二個の位置調整機構３０を設置し、各位置調整機構３０はそれぞれ一個のインクジェット印刷機構１０を連接し、各インクジェット印刷機構１０は該モジュールにおいて、同じくＸ軸移動方式を採用して印刷する。また印刷作業実行前，先ず位置調整機構３０の第四調整モジュール３９で横桿３１を移動し、二個のインクジェット印刷機構１０間の間隔距離を調整する。そのうち，多数個のピッチ調整ができるインクジェット印刷機構が形成する多数のインクジェットポイントによって以下三点の長所を備える。１、インクジェット印刷される物品のサイズに対応してインクジェット印刷機構ピッチを調整でき、伝送機構の無効な行程を短縮でき、同時に多数個のインクジェット印刷機構によって印刷することで作業効率を有効に高める。２、吸風機構の風漏れ面積を減らし、省エネ作用を備える。３、ある一インクジェット印刷機構が作業異常もしくは故障した時，そのインクジェット印刷ポイントを閉鎖し、修理待ち期間であっても、その他のインクジェット印刷ポイントが正常作業できるので、停止リスクを下げる。
【００４９】
図１３図及び図１４は、それぞれ本考案の第一実施例の印刷設備を使用して第二種印刷モジュールを実行する第一指示図及び第二指示図である。図に示すとおり、この印刷モジュールにおいて，インクジェット印刷機構１０は方向転換モジュール１３で本体１１を９０度方向転換し，インクジェット印刷機構１０の本体１１の長さが短い一側辺と伝送機構４０の送り方向を平行にする。この印刷設備は第二種印刷モジュールに基づいて印刷作業を実行する時，伝送機構４０が印刷待ち物品ＡをＹ軸の方向に送り続け、印刷待ち物品Ａをインクジェット印刷機構１０を通過させ、続いてインクジェット印刷機構１０を制御してその場でＺ軸縱向方向へ移動するだけで印刷待ち物品Ａに対して印刷を実行して図案Ｃを形成し、それを図１４に示す。
【００５０】
図１５に示すのは、本考案の印刷設備が多数個の第一実施例の位置調整機構及びインクジェット機構を採用して第三種印刷モジュールを実行する指示図である。図に示すとおり、この印刷モジュールにおいて，第一実施例の二個の位置調整機構３０及びインクジェット印刷機構１０を設置し，印刷作業を実行する時，伝送機構４０印刷待ち物品ＡをＹ軸の方向へ送り続け，印刷待ち物品Ａを各インクジェット印刷機構１０通過させる。また各インクジェット印刷機構１０はそれぞれ左、右二個のエリアにおいて、元の場所から動かない方式で縦方向移動で印刷待ち物品Ａに対して印刷を実行し、印刷済物品の左、右二個のエリアにそれぞれ各インクジェット印刷機構１０がインクジェット印刷した図案Ｃ１及び図案Ｃ２を形成する。
【００５１】
図１６は、本考案の印刷設備に多数個の第一実施例の位置調整機構及びインクジェット機構を採用し第四種印刷モジュールを実行する指示図である。図に示すとおり、この印刷モジュールにおいて，第一実施例の二個の位置調整機構３０及びインクジェット印刷機構１０を設置し，印刷作業を実行する時，伝送機構４０は、同時に二個の印刷待ち物品Ａを各インクジェット印刷機構１０の下方へ送り，また各インクジェット印刷機構１０はその目標となる印刷待ち物品Ａに対して移動し、左、右二箇所のエリアの印刷作業を実行し、印刷済物品の左、右二箇所のエリアに同一インクジェット印刷機構１０がインクジェット印刷した図案Ｃ１及び図案Ｃ２を形成する。
【００５２】
図１７は、本考案の印刷方法のフローチャートである。それは以下ステップを含む。ステップＳ１として、印刷待ち物品のサイズ及び印刷範囲に基づき、インクジェット印刷機構の位置を自動調整し、方向転換モジュールで本体の方向を調整して複数個のプリントヘッド・ユニットを伝送機構の送り方向に相対する印刷方位を定位する。ステップＳ２として、伝送機構で印刷待ち物品を送る。更にステップＳ３として、インクジェット印刷機構の自動制御で横向Ｘ軸及びＹ軸方向へ移動、もしくは元の位置で定位して印刷待ち物品に対して印刷作業を実行する。
【００５３】
上述の工程において、更に以下のステップを含む。それは送り機構で印刷待ち物品を伝送機構へ送り、吸気機構によって伝送機構上で伝送する物品を吸着固定し、更に受取機構によって伝送機構が送った印刷済物品等を受け取るステップを含む。
【００５４】
上述のとおり、本考案のインクジェット印刷機構及び印刷設備は従前の技術を超えており、向上を望む効果を確かに達成しており、且つ当該領域に習熟した技術者でも安易に思いつくものではない。更に本考案は未公開前であり、且つそれは進歩性、実用性を備えるため、実用新案登録申請の要件に符合する。
【００５５】
以上の実施例は、本考案の技術の思想及び特徴を説明するためのものに過ぎず、その目的は、当該領域に習熟した者が本考案の内容を理解して実施するためのものである。故に本考案の請求範囲を制限するものではなく、本考案に基づく精神的に同じの変化及び修飾はすべて本考案の請求範囲に含まれるものとする。
【符号の説明】
【００５６】
１０        インクジェット印刷機構
１１        本体
１２        プリントヘッド・ユニット
１２１        プリントヘッド・ライン
１２１１        プリントヘッド
１２１１１        ノズル
１３        方向転換モジュール
１３１        方向転換モータ
１３２        方向転換ギア
１３３          シリンダー
１３４          可動腕
２０        基台
３０        位置調整機構
３１        横桿
３２        ベルト組部材
３３        台座体
３３１        第一噛合部
３４        第一調整モジュール
３４１        第一ギア
３５        第二調整モジュール
３６        第三調整モジュール
３７        レール
３８        支持フレーム
３８１        第二ギア
３９        第四調整モジュール
３１０        第五調整モジュール
３１０１        第二噛合部
３１０２        第三ギア
４０        伝送機構
４０１        開孔
４１        作業台
４２        ローラー
５０        吸気機構
６０        送り機構
６１        回転桿部材
７０        受取機構
Ａ        印刷待ち物品
Ｂ        印刷済物品
Ｃ        図案
Ｃ１        図案
Ｃ２        図案
Ｓ１        ステップ
Ｓ２        ステップ
Ｓ３        ステップ
【図１】
0003222173.tif 000003
【図２】
0003222173.tif 000004
【図３】
0003222173.tif 000005
【図４】
0003222173.tif 000006
【図５】
0003222173.tif 000007
【図６】
0003222173.tif 000008
【図７】
0003222173.tif 000009
【図８】
0003222173.tif 000010
【図９】
0003222173.tif 000011
【図１０】
0003222173.tif 000012
【図１１】
0003222173.tif 000013
【図１２】
0003222173.tif 000014
【図１３】
0003222173.tif 000015
【図１４】
0003222173.tif 000016
【図１５】
0003222173.tif 000017
【図１６】
0003222173.tif 000018
【図１７】
0003222173.tif 000019
【手続補正書】
【提出日】平成31年4月2日(2019.4.2)
【手続補正１】
【補正対象書類名】実用新案登録請求の範囲
【補正対象項目名】全文
【補正方法】変更
【補正の内容】
【実用新案登録請求の範囲】
【請求項１】
インクジェット印刷機構において、
本体と、
該本体の一面に配列する少なくとも一個のプリントヘッドと、
該本体に設置して，該本体を方向転換させる方向転換モジュールを含むことを特徴とするインクジェット印刷機構。
【請求項２】
前記少なくとも一個のプリントヘッドは、複数個のプリントヘッドであり、
前記複数個のプリントヘッドは少なくとも二列のプリントヘッド・ラインを形成し，そのうち相互に隣接する該プリントヘッド・ラインは非対面方式で配列し，該プリントヘッド・ラインの該複数個のプリントヘッドは相互に隣接する別の列の該プリントヘッド・ラインの該複数個のプリントヘッドと互い違いに配置し，また該少なくとも二列のプリントヘッド・ラインは少なくとも一個のプリントヘッド・ユニットを形成することを特徴とする請求項１記載のインクジェット印刷機構。
【請求項３】
前記少なくとも一個のプリントヘッドは、複数個のプリントヘッドであり、
前記複数個のプリントヘッドは、該本体に沿って配置することを特徴とする請求項１記載のインクジェット印刷機構。
【請求項４】
前記本体は該方向転換モジュールの制御によって９０度の方向転換を行うことを特徴とする請求項１から３のうち任意の一項記載のインクジェット印刷機構。
【請求項５】
前記方向転換モジュールは駆動組部材を含むことを特徴とする請求項１から３のうち任意の一項記載のインクジェット印刷機構。
【請求項６】
前記駆動組部材は、方向転換モータ及び複数個の方向転換ギアを含み，該複数個の方向転換ギアは互いに噛合し並びに該方向転換モータ及び該本体を連接し、該複数個の方向転換ギアは該方向転換モータの制御に拠って回転して該本体を動かして方向転換することを特徴とする請求項５記載のインクジェット印刷機構。
【請求項７】
前記駆動組部材は、少なくとも一シリンダー及び一可動腕を含み、該可動腕は該シリンダーの制御に拠って回転して該本体を動かして方向転換することを特徴とする請求項５記載のインクジェット印刷機構。
【請求項８】
前記プリントヘッドは複数個のノズルを含むことを特徴とする請求項１から３のうち任意の一項記載のインクジェット印刷機構。
【請求項９】
少なくとも一請求項１から８のうち任意の一項記載のインクジェット印刷機構において、インクジェット印刷を行う印刷設備であり、それは、
該インクジェット印刷機構の下方に位置する基台と、
該インクジェット印刷機構を連結し、該インクジェット印刷機構を制御して横向Ｘ軸、横向Ｙ軸もしくは縱向Ｚ軸の方式で移動して定位する少なくとも一位置調整機構と、
該基台上に設置し、印刷待ち物品を送って該インクジェット印刷機構を通過して印刷する伝送機構を含むことを特徴とする印刷設備。
【請求項１０】
前記位置調整機構は
該基台の上方に設置する横桿と、
該横桿に設置するベルト組部材と、
ベルト組部材を連結する台座体と、
該台座体及び該インクジェット印刷機構を連接し、該台座体に相対して位置移動し，該インクジェット印刷機構を横向Ｙ軸方向に移動させる第一調整モジュールと、
該第一調整モジュール及び該インクジェット印刷機構を連接し、該台座体を相対して位置移動し，該インクジェット印刷機構を縱向Ｚ軸方向へ移動する第二調整モジュールと、
該ベルト組部材を連結し、該ベルト組部材を制御して曲げ、該台座体を位置移動させ、該インクジェット印刷機構を横向Ｘ軸方向に移動させる第三調整モジュールを含むことを特徴とする請求項９記載の印刷設備。
【請求項１１】
前記台座体は第一噛合部を含み，該第一調整モジュールは該第一噛合部と噛合する第一ギアを含むことを特徴とする請求項１０記載の印刷設備。
【請求項１２】
前記位置調整機構は、更に，
各々がそれぞれ該基台の相対する両側に設置する二本のレールと、
各レール上にそれぞれ設置し、該横桿を支持固定する二個の支持フレームと、
少なくとも一個の該支持フレームを連接し、該二個の支持フレームを制御して該レール上で位置移動し、更に該横桿を動かして該基台に相対して横向Ｙ軸方向へ移動する第四調整モジュールを含むことを特徴とする請求項１０もしくは１１記載の印刷設備。
【請求項１３】
前記各該支持フレーム３８は、それぞれ該レールに嵌合する第二ギアを含むことを特徴とする請求項１２記載の印刷設備。
【請求項１４】
前記位置調整機構は、更に第五調整モジュールを含み、少なくとも一個の該支持フレームを連接し、該第五調整モジュールは該支持フレームの一部構造を縱向位置移動させ，該横桿を上昇もしくは下降させることを特徴とする請求項１２記載の印刷設備。
【請求項１５】
前記第五調整モジュールは、第二噛合部及び第三ギアを含み、該第二噛合部は該支持フレームに連接し、且つ該第三ギアは該第二噛合部を噛合し、該第三ギアが回転した時、該第二噛合部の押圧によって該支持フレームの一部構造を縱向位置移動することを特徴とする請求項１４記載の印刷設備。
【請求項１６】
前記位置調整機構は、該基台の一側に設置した機械腕であることを特徴とする請求項９記載の印刷設備。
【請求項１７】
前記印刷設備は、更に吸気機構を含み，該基台の内部に設置し、且つ該伝送機構は複数個の開孔を穿設し、該吸気機構は、該複数個の開孔から気体を吸い取ることで該伝送機構が伝送した物品を吸着することを特徴とする請求項９記載の印刷設備。
【請求項１８】
前記伝送機構は、該複数個の開孔のベルトもしくは履帯を含むことを特徴とする請求項１７記載の印刷設備。
【請求項１９】
前記伝送機構は、
該基台上に設置し，且つ該複数個の開孔を穿設する作業台と、
各々はそれぞれ各該開孔の中に設置し，回転時、物品の伝送を行う複数個のローラーを含むことを特徴とする請求項１７記載の印刷設備。
【請求項２０】
前記印刷設備は、更に
該基台の一端に設置し，且つ印刷待ち物品を該伝送機構へ伝送する複数個の回転桿部材を含む送り機構と、
該基台の相対する別の端に設置し，該伝送機構が送った印刷済物品を受け取る受取機構を含むことを特徴とする請求項１７記載の印刷設備。
【手続補正書】
【提出日】令和1年5月17日(2019.5.17)
【手続補正１】
【補正対象書類名】実用新案登録請求の範囲
【補正対象項目名】全文
【補正方法】変更
【補正の内容】
【実用新案登録請求の範囲】
【請求項１】
インクジェット印刷機構において、
本体と、
該本体の一面に配列する少なくとも一個のプリントヘッドと、
該本体に設置して，該本体を方向転換させる方向転換モジュールを含むことを特徴とするインクジェット印刷機構。
【請求項２】
前記少なくとも一個のプリントヘッドは、複数個のプリントヘッドであり、
前記複数個のプリントヘッドは少なくとも二列のプリントヘッド・ラインを形成し，そのうち相互に隣接する該プリントヘッド・ラインは非対面方式で配列し，該プリントヘッド・ラインの該複数個のプリントヘッドは相互に隣接する別の列の該プリントヘッド・ラインの該複数個のプリントヘッドと互い違いに配置し，また該少なくとも二列のプリントヘッド・ラインは少なくとも一個のプリントヘッド・ユニットを形成することを特徴とする請求項１記載のインクジェット印刷機構。
【請求項３】
前記少なくとも一個のプリントヘッドは、複数個のプリントヘッドであり、
前記複数個のプリントヘッドは、該本体に沿って配置することを特徴とする請求項１記載のインクジェット印刷機構。
【請求項４】
前記本体は該方向転換モジュールの制御によって９０度の方向転換を行うことを特徴とする請求項１から３のうち任意の一項記載のインクジェット印刷機構。
【請求項５】
前記方向転換モジュールは駆動組部材を含むことを特徴とする請求項１から３のうち任意の一項記載のインクジェット印刷機構。
【請求項６】
前記駆動組部材は、方向転換モータ及び複数個の方向転換ギアを含み，該複数個の方向転換ギアは互いに噛合し並びに該方向転換モータ及び該本体を連接し、該複数個の方向転換ギアは該方向転換モータの制御に拠って回転して該本体を動かして方向転換することを特徴とする請求項５記載のインクジェット印刷機構。
【請求項７】
前記駆動組部材は、少なくとも一シリンダー及び一可動腕を含み、該可動腕は該シリンダーの制御に拠って回転して該本体を動かして方向転換することを特徴とする請求項５記載のインクジェット印刷機構。
【請求項８】
前記プリントヘッドは複数個のノズルを含むことを特徴とする請求項１から３のうち任意の一項記載のインクジェット印刷機構。
【請求項９】
少なくとも請求項１から８のうち任意の一項記載のインクジェット印刷機構において、インクジェット印刷を行う印刷設備であり、それは、
該インクジェット印刷機構の下方に位置する基台と、
該インクジェット印刷機構を連結し、該インクジェット印刷機構を制御して横向Ｘ軸、横向Ｙ軸もしくは縱向Ｚ軸の方式で移動して定位する少なくとも一位置調整機構と、
該基台上に設置し、印刷待ち物品を送って該インクジェット印刷機構を通過して印刷する伝送機構を含むことを特徴とする印刷設備。
【請求項１０】
前記位置調整機構は
該基台の上方に設置する横桿と、
該横桿に設置するベルト組部材と、
ベルト組部材を連結する台座体と、
該台座体及び該インクジェット印刷機構を連接し、該台座体に相対して位置移動し，該インクジェット印刷機構を横向Ｙ軸方向に移動させる第一調整モジュールと、
該第一調整モジュール及び該インクジェット印刷機構を連接し、該台座体を相対して位置移動し，該インクジェット印刷機構を縱向Ｚ軸方向へ移動する第二調整モジュールと、
該ベルト組部材を連結し、該ベルト組部材を制御して曲げ、該台座体を位置移動させ、該インクジェット印刷機構を横向Ｘ軸方向に移動させる第三調整モジュールを含むことを特徴とする請求項９記載の印刷設備。
【請求項１１】
前記台座体は第一噛合部を含み，該第一調整モジュールは該第一噛合部と噛合する第一ギアを含むことを特徴とする請求項１０記載の印刷設備。
【請求項１２】
前記位置調整機構は、更に，
各々がそれぞれ該基台の相対する両側に設置する二本のレールと、
各レール上にそれぞれ設置し、該横桿を支持固定する二個の支持フレームと、
少なくとも一個の該支持フレームを連接し、該二個の支持フレームを制御して該レール上で位置移動し、更に該横桿を動かして該基台に相対して横向Ｙ軸方向へ移動する第四調整モジュールを含むことを特徴とする請求項１０もしくは１１記載の印刷設備。
【請求項１３】
前記各該支持フレーム３８は、それぞれ該レールに嵌合する第二ギアを含むことを特徴とする請求項１２記載の印刷設備。
【請求項１４】
前記位置調整機構は、更に第五調整モジュールを含み、少なくとも一個の該支持フレームを連接し、該第五調整モジュールは該支持フレームの一部構造を縱向位置移動させ，該横桿を上昇もしくは下降させることを特徴とする請求項１２記載の印刷設備。
【請求項１５】
前記第五調整モジュールは、第二噛合部及び第三ギアを含み、該第二噛合部は該支持フレームに連接し、且つ該第三ギアは該第二噛合部を噛合し、該第三ギアが回転した時、該第二噛合部の押圧によって該支持フレームの一部構造を縱向位置移動することを特徴とする請求項１４記載の印刷設備。
【請求項１６】
前記位置調整機構は、該基台の一側に設置した機械腕であることを特徴とする請求項９記載の印刷設備。
【請求項１７】
前記印刷設備は、更に吸気機構を含み，該基台の内部に設置し、且つ該伝送機構は複数個の開孔を穿設し、該吸気機構は、該複数個の開孔から気体を吸い取ることで該伝送機構が伝送した物品を吸着することを特徴とする請求項９記載の印刷設備。
【請求項１８】
前記伝送機構は、該複数個の開孔のベルトもしくは履帯を含むことを特徴とする請求項１７記載の印刷設備。
【請求項１９】
前記伝送機構は、
該基台上に設置し，且つ該複数個の開孔を穿設する作業台と、
各々はそれぞれ各該開孔の中に設置し，回転時、物品の伝送を行う複数個のローラーを含むことを特徴とする請求項１７記載の印刷設備。
【請求項２０】
前記印刷設備は、更に
該基台の一端に設置し，且つ印刷待ち物品を該伝送機構へ伝送する複数個の回転桿部材を含む送り機構と、
該基台の相対する別の端に設置し，該伝送機構が送った印刷済物品を受け取る受取機構を含むことを特徴とする請求項１７記載の印刷設備。